(57)【要約】      （修正有）【課題】支持柱に取り付けられるブラケットと支持部材との間の距離を調整可能なブラケット装置を提供する。【解決手段】支持柱に取り付けられる第一ブラケット１６は、開口４４およびガード部４６を有する。第一ブラケットにスライドするよう接続する支持部材１４は、第１レール１０を支持し、穿孔４０およびガード部４６に対応する停止部４２を有する。係合ロック部材１８は、弾力アーム４８、および、弾力アームに設置される係合ロック部５０を有する。支持部材１４が第一ブラケット１６の所定の位置までスライドすると、停止部４２はガード部４６に係止される。支持部材１４が第一ブラケット１６の一方の側へ向かい穿孔４０が開口４４に対応すると、係合ロック部材の係合ロック部５０が弾力アーム４８の弾性作用を受け穿孔４０に挿入され、支持部材１４はロックされる。【選択図】図２Ａ
0003189813.tif 000002
【実用新案登録請求の範囲】
【請求項１】
開口およびガード部を有するブラケットと、
前記ブラケットにスライドするよう接続し、穿孔および前記ガード部に対応する停止部を有する支持部材と、
前記ブラケットに配置され、弾力アーム、および、前記弾力アームに設置され前記ブラケットの前記開口に対応する係合ロック部を有する係合ロック部材と、
を備え、
前記支持部材が前記ブラケットの他方の側へ所定の位置までスライドすると、前記停止部は、前記ガード部に係止され、
前記支持部材が前記ブラケットの一方の側へ向かい前記穿孔が前記開口に対応すると、前記係合ロック部は、前記弾力アームの弾性作用を受け前記支持部材の穿孔に挿入され、前記支持部材に係合してロックされることを特徴とするブラケット装置。
【請求項２】
前記支持部材の前記停止部は、前記穿孔の周縁に設置され、前記係合ロック部材の前記係合ロック部が前記穿孔に挿入されると、前記停止部において係合されロックされることを特徴とする請求項１に記載のブラケット装置。
【請求項３】
前記係合ロック部は、前記弾力アームより延伸するよう形成され、垂直の係合ロック面を有し、前記穿孔中で係合してロックされ、
前記弾力アームの端部は、湾曲して折り返され、ロック解除斜面を有し、
前記ロック解除斜面は、前記開口に対応することを特徴とする請求項１に記載のブラケット装置。
【請求項４】
前記ブラケットは、側壁を有し、端板は前記側壁に垂直に設けられ、
前記開口および前記ガード部は、前記側壁上に位置し、取り付け部材を有し、前記端板に結合し、前記取り付け部材上には、可動状の係合接続部材が結合し、
前記係合接続部材は、係合接続部およびリリース部を有し、前記リリース部は操作空間を通して、前記係合接続部を操作し、
前記側壁は、貫通孔を有し、
前記リリース部は、前記貫通孔に挿通され、
前記支持部材は、固定部を有し、前記支持部材が前記係合ロック部に係合してロックされると、前記固定部は、前記リリース部の前記操作空間に位置し、前記リリース部の操作を阻害することを特徴とする請求項１に記載のブラケット装置。
【請求項５】
前記係合接続部材は、前記取り付け部材上に可動状に接続し、
前記固定部は、切り欠きを有し、前記切り欠きの両側には停止壁を有し、前記リリース部は、前記切り欠きに伸び入り、前記停止壁により位置を限定されることを特徴とする請求項４に記載のブラケット装置。
【請求項６】
通路を形成し、第一の一方の端部、第一の他方の端部、及び、前記第一の一方の端部に隣接する前記通路内に位置する第一位置限定部を有する第一レールと、
前記第一レールにスライドするよう接続し、第二の一方の端部、第二の他方の端部、ロック解除部材、および、第二位置限定部を有し、前記ロック解除部材は、前記第二の一方の端部に位置し、前記第二位置限定部は、前記第二の他方の端部に位置し、前記第二位置限定部は、前記第一レールの第一位置限定部に対応する第二レールと、
前記第一の一方の端部に配置され、穿孔および停止部を有する支持部材と、
前記支持部材にスライドするよう接続し、開口および前記支持部材の前記停止部に対応するガード部を有する第一ブラケットと、
前記第一ブラケットに配置され、弾力アーム、および、前記弾力アームに設置され前記開口に対応する係合ロック部を有する係合ロック部材と、
前記第一の他方の端部にスライドするよう接続する第二ブラケットと、
を備え、
前記第二レールが前記第一レールにより所定の位置まで引き出されると、前記第二レールの第二位置限定部は、前記第一レールの第一位置限定部において停止し、
前記第二レールにより前記第一レールと前記支持部材とが連動し、前記第一ブラケットの一方の側へとスライドし、前記穿孔が開口に対応すると、前記係合ロック部材の係合ロック部は、前記弾力アームの弾性作用を受け、前記支持部材の穿孔に挿入され、前記支持部材を係合してロックし、
前記第二レールが前記第一レールに収められると、前記ロック解除部材は、前記係合ロック部のロックを解除し、前記第一レールと前記支持部材とが連動し、前記第一ブラケットの他方の側へとスライドし、前記停止部は、前記ガード部により停止させられることを特徴とするスライドレールアッセンブリ。
【請求項７】
前記支持部材の前記停止部は、前記穿孔の周縁に設置され、前記係合ロック部が前記穿孔に挿入されると、前記停止部において係合されてロックされることを特徴とする請求項６に記載のスライドレールアッセンブリ。
【請求項８】
前記係合ロック部は、前記弾力アームより延伸するよう形成され、垂直の係合ロック面を有し、前記穿孔中で係合してロックされ、
前記弾力アームの端部は、湾曲して折り返し、ロック解除斜面を有し、
前記ロック解除斜面は、前記開口に対応し、
前記第二レールが前記第一レールに収められると、前記第二レールのロック解除部材は、前記ロック解除斜面に沿って前記係合ロック部を前記穿孔の外へと伸び出させ、前記係合ロック部のロックを解除することを特徴とする請求項６に記載のスライドレールアッセンブリ。
【請求項９】
前記第一ブラケットは、側壁を有し、端板は前記側壁に垂直に設けられ、
前記開口および前記ガード部は、前記側壁上に位置し、取り付け部材を有し、前記端板に結合し、前記取り付け部材上には、可動状の係合接続部材を結合し、
前記係合接続部材は、係合接続部およびリリース部を有し、前記リリース部は操作空間を通して、前記係合接続部を操作し、
前記側壁は、貫通孔を備え、
前記リリース部は、前記貫通孔に挿通され、
前記支持部材は、固定部を有し、前記支持部材が前記係合ロック部材の係合ロック部に係合してロックされると、前記固定部は、前記リリース部の前記操作空間に位置し、前記リリース部の操作を阻害することを特徴とする請求項６に記載のスライドレールアッセンブリ。
【請求項１０】
前記係合接続部材は、前記取り付け部材上に可動状に接続し、
前記固定部は、切り欠きを有し、前記切り欠きの両側には停止壁を有し、前記リリース部は、前記切り欠きに伸び入り、前記停止壁により位置を限定されることを特徴とする請求項９に記載のスライドレールアッセンブリ。
【考案の詳細な説明】
【技術分野】
【０００１】
本考案は、支持柱に取り付けられるブラケット装置、および、スライドレールアッセンブリに関する。
【背景技術】
【０００２】
特許文献１に記載のスライドレールアッセンブリは、サーバを搭載するラックに用いられる。スライドレールアッセンブリは、ラックの左右両側にそれぞれ一対の支持柱を設置する。以下では、両側のうちの一つの支持柱を例として説明する。一対の支持柱は、ラックの深さの違いに応じて、所定の長さを備える。
【０００３】
スライドレールアッセンブリは、一対の支持柱の間に取り付ける。スライドレールアッセンブリは、外レール、中レール、内レール、前ブラケット、および後ブラケットからなる。外レールは、一方の端部および他方の端部を備える。中レールは、外レールにスライド可能状に接続する。内レールは、中レールにスライド可能なよう接続する。前ブラケットは、外レールの一方の端部に固定して接続する。後ブラケットは、外レールの他方の端部に固定して接続する。スライドレールアッセンブリは、前ブラケットおよび後ブラケットにより、一対の支持柱のいずれか一つにそれぞれ取り付ける。
【先行技術文献】
【特許文献】
【０００４】
【特許文献１】米国特許ＵＳ７,２８１,６９４Ｂ２明細書
【考案の概要】
【考案が解決しようとする課題】
【０００５】
しかしながら、特許文献１に記載のスライドレールアッセンブリは、一般のラックマウント型サーバであるが、使用上の問題がある。その原因は下記の通りである。
【０００６】
特許文献１では、どんどん密度が高くなっており、限られたスペース内に、よりたくさんの構成部材を詰め込むことが求められている現在のサーバに対する要求に応えることができない。また、上述したような状況下では、スライドレールの操作スペースの運用は、より慎重な考慮がなされるべき課題となっているが、特許文献１では、スライドレールに関連する構成部材において、それに対応した調整メカニズムがなされていない。
【０００７】
本考案は、上述の問題に鑑みてなされたものであり、その目的は、スライドレールアッセンブリに用いられ、支持柱に取り付けられるブラケットと支持部材との間の距離を調整可能なブラケット装置を提供することにある。
【課題を解決するための手段】
【０００８】
本考案によるブラケット装置は、ブラケット、支持部材、及び、係合ロック部材を備える。ブラケットは、開口およびガード部を有する。
【０００９】
支持部材は、ブラケットにスライドするよう接続する。支持部材は、穿孔および停止部を有する。停止部は、ガード部に対応する。
【００１０】
係合ロック部材は、ブラケットに固定して接続する。係合ロック部材は、弾力アームを有する。係合ロック部は、弾力アームに設置し、ブラケットの開口に対応する。
【００１１】
支持部材が、ブラケットの他方の側へと所定の位置までスライドすると、停止部は、ガード部に止められる。支持部材がブラケットの他方の側へ向かい穿孔が開口に対応すると、係合ロック部材の係合ロック部は、弾力アームの弾性作用を受け、支持部材の穿孔に挿入される。これにより、支持部材を係合してロックする。
【００１２】
好ましくは、支持部材の停止部は、穿孔の周縁に設置し、係合ロック部材の係合ロック部が穿孔に挿入されると、停止部において係合されてロックされる。
【００１３】
好ましくは、係合ロック部は、弾力アームより延伸するよう形成され、垂直の係合ロック面を有し、穿孔中で係合してロックされている。弾力アームの端部は、湾曲して折り返し、ロック解除斜面を有する。ロック解除斜面は、ブラケットの開口に対応する。
【００１４】
好ましくは、ブラケットは側壁を有し、端板は側壁に垂直に設けられる。開口およびガード部は、側壁上に位置し、取り付け部材を有し、端板に結合し、取り付け部材上には、可動状の係合接続部材が結合する。係合接続部材は、係合接続部およびリリース部を有し、リリース部は、操作空間を通して係合接続部を操作する。側壁は、貫通孔を有している。リリース部は、貫通孔を挿通されている。支持部材は、固定部を有し、係合ロック部材の係合ロック部に係合してロックされると、固定部はリリース部の操作空間に位置し、リリース部の操作を阻害する。
【００１５】
好ましくは、係合接続部材は、取り付け部材上に可動状に接続し、支持部材の固定部は、切り欠きを有し、切り欠きの両側には、停止壁を有する。係合接続部材のリリース部は、切り欠きに伸び入り、停止壁により位置を限定される。
【００１６】
スライドレールアッセンブリであって、第一レール、第二レール、支持部材、第一ブラケット、係合ロック部材、第二ブラケットを備える。
【００１７】
第一レールは、通路を形成し、第一の一方の端部、第一の他方の端部、及び、第一の一方の端部に隣接する通路内に位置する第一位置限定部を有する。
【００１８】
第二レールは、第一レールにスライドするよう接続されている。第二レールは、第二の一方の端部、第二の他方の端部、ロック解除部材、および第二位置限定部を有する。ロック解除部材は、第二レールに隣接する第二の一方の端部に位置する。第二位置限定部は、第二レールに隣接する第二の他方の端部に位置し、第二位置限定部は、第一レールの第一位置限定部に対応する。
【００１９】
支持部材は、第一レールに隣接する第一の一方の端部に配置される。支持部材は、穿孔および停止部を有する。
【００２０】
第一ブラケットは、支持部材にスライドするよう接続している。第一ブラケットは、開口およびガード部を有する。ガード部は、支持部材の停止部に対応する。
【００２１】
係合ロック部材は、第一ブラケットに配置される。係合ロック部材は、弾力アーム、および、弾力アームに設置され第一ブラケットの開口に対応する係合ロック部を有する。
【００２２】
第二ブラケットは、第一レールに隣接する第一の他方の端部にスライドするよう接続する。
第二レールが、第一レールにより所定の位置まで引き出されると、第二レールの第二位置限定部は、第一レールの第一位置限定部において停止する。第二レールにより第一レールと支持部材とが連動し、第一ブラケットの他方の側へとスライドさせ、穿孔が開口に対応すると、係合ロック部材の係合ロック部は、弾力アームの弾性作用を受け、支持部材の穿孔に挿入される。これにより、支持部材が係合してロックする。第二レールが第一レールに収められると、第二レールのロック解除部材は係合ロック部材の係合ロック部のロックを解除し、第一レールと支持部材とが連動し、第一ブラケットの一方の側へとスライドさせ、停止部は、ガード部により停止させられる。
【００２３】
好ましくは、支持部材の停止部は、穿孔の周縁に設置し、係合ロック部材の係合ロック部が穿孔に挿入されると、停止部において係合されてロックされる。
【００２４】
好ましくは、係合ロック部材の係合ロック部は、弾力アームより延伸するよう形成され、垂直の係合ロック面を有し、穿孔中で係合してロックされる。弾力アームの端部は、湾曲して折り返し、ロック解除斜面を有する。ロック解除斜面は、第一ブラケットの開口に対応する。第二レールが第一レールに収められると、第二レールのロック解除部材は、ロック解除斜面に沿って係合ロック部を穿孔の外へと伸び出させ、係合ロック部のロックを解除する。
【００２５】
好ましくは、第一ブラケットは、側壁を有し、端板は側壁に垂直に設けられる。開口およびガード部は、側壁上に位置し、取り付け部材を有し、端板に結合し、取り付け部材上には、可動状の係合接続部材を結合する。係合接続部材は、係合接続部およびリリース部を有し、リリース部は、操作空間を通して係合接続部を操作する。側壁は、貫通孔を有し、リリース部は、貫通孔を挿通されている。支持部材は、固定部を有し、係合ロック部材の係合ロック部に係合してロックされると、固定部はリリース部操作空間に位置し、リリース部の操作を阻害する。
【００２６】
好ましくは、係合接続部材は、取り付け部材上に可動状に接続し、支持部材の固定部は、切り欠きを有し、切り欠きの両側には、停止壁を有する。係合接続部材のリリース部は、切り欠きに伸び入り、停止壁により位置を限定される。
【００２７】
好ましくは、第二ブラケットは、側板を有する。側板は、一対の湾曲部を有する。一対の湾曲部は通路を形成する。これにより、第一レールの他方の端部は、通路内に入り、第二ブラケットに相対してスライドする。
【００２８】
本考案の効果は下記の通りである。
（１）ブラケットと支持部材との間の距離が調整可能であるため、第一レールは、特定位置まで引き伸ばされ、或いは初期位置まで戻る。これにより、スライドレールアッセンブリは、空間上の調整メカニズムを備えるため、被搭載部材をラック上に取り付けるとき、被搭載部材の大きさに応じて大きさの調整を行うことができる。したがって、スペースに対する特定のニーズに応えることができる。
【００２９】
（２）本考案では、支持部材が第一ブラケットの他方の側へ向い所定の位置までスライドし、定位された後、支持部材の固定部の切り欠きは、第一ブラケットの係合接続部材のリリース部に対応して嵌合する。これにより、リリース部の操作を阻害し、係合接続部材の係合接続部のラックが有する第一支持柱における係合を保持することができる。これにより、スライドレールアッセンブリがラックから脱落し、スライドレールアッセンブリに取り付ける被搭載部材が地面に落下し損壊するという問題の発生を回避することができる。
【図面の簡単な説明】
【００３０】
【図１】本考案の一実施形態によるスライドレールアッセンブリをラックに取り付ける様子を示す模式図である。
【図２Ａ】本考案の一実施形態によるスライドレールアッセンブリの分解模式図である。
【図２Ｂ】本考案の一実施形態によるスライドレールアッセンブリの第二レールの別の角度から見た模式図である。
【図３Ａ】本考案の一実施形態によるスライドレールアッセンブリの支持部材の別の角度から見た模式図である。
【図３Ｂ】本考案一実施形態による係合ロック部材の拡大模式図である。
【図４Ａ】本考案の一実施形態によるスライドレールアッセンブリの閉まった状態の立体模式図である。
【図４Ｂ】本考案の一実施形態によるスライドレールアッセンブリの閉まった状態の俯瞰断面図である。
【図５】本考案の一実施形態によるスライドレールアッセンブリを、ラックと被搭載部材との間に取り付ける様子を示す俯瞰模式図である。
【図６Ａ】本考案一実施形態による支持部材がスライド移動する状態を示す模式図である。
【図６Ｂ】本考案一実施形態による支持部材がスライド移動する状態を示す俯瞰断面図である。
【図７】本考案の一実施形態によるスライドレールアッセンブリが延びて展開する状態を示す立体図である。
【図８】本考案の一実施形態によるスライドレールアッセンブリの第二レールが閉じて戻り復位する動作模式図である。
【考案を実施するための形態】
【００３１】
本考案の一実施形態によるスライドレールアッセンブリを図面に基づいて説明する。
（一実施形態）
本考案の一実施形態によるスライドレールアッセンブリを図１、図２Ａ、図２Ｂに示す。図１、図２Ａ、図２Ｂに示すように、一実施形態によるスライドレールアッセンブリは、第一レール１０、第二レール１２、支持部材１４、第一ブラケット１６、係合ロック部材１８、および第二ブラケット２０を備える。
【００３２】
第一レール１０は、「第一の一方の端部」としての一方の端部２２、「第一の他方の端部」としての他方の端部２４を有する。第一レール１０は、通路２６を形成する。また、第一レール１０の第一位置限定部２８は、一方の端部２２に隣接する通路２６内に位置する。
【００３３】
第二レール１２は、第一レール１０にスライドするよう接続している。第二レール１２は、「第二の一方の端部」としての一方の端部３０、「第二の他方の端部」としての他方の端部３２、ロック解除部材３４、および、第二位置限定部３６を有する。ロック解除部材３４は、第二レール１２に隣接する一方の端部３０に位置する。
【００３４】
第二位置限定部３６は、第二レール１２に隣接する他方の端部３２に位置する。また、第二位置限定部３６は、第一レール１０の第一位置限定部２８に対応する。これにより、第二レール１２が第一レール１０より引き出されるとき、第二レール１２の第二位置限定部３６が、第一レール１０の第一位置限定部２８において停止する。好ましくは、さらに第二レール１２に可動状に接続する第三レール３８が備えられ、スライドレールアッセンブリはより長い距離の引き出しを可能とする。
【００３５】
支持部材１４は、第一レール１０に隣接する一方の端部２２に固定して接続されている。支持部材１４は、穿孔４０および停止部４２を有する。支持部材１４と第一レール１０とは、リベット接続、螺合接続、或いは、他の類似の接続手段により、それぞれ分離可能に接続されている。支持部材１４は、第一レール１０に隣接する一方の端部２２に配置される。
【００３６】
第一ブラケット１６は、支持部材１４にスライドするよう接続している。第一ブラケット１６は、開口４４およびガード部４６を有する。ガード部４６は、支持部材１４の停止部４２に対応する。
【００３７】
図４Ａに示すように、支持部材１４が第一ブラケット１６の一方の側に向い所定の位置までスライドすると、停止部４２とガード部４６とは係止する。
【００３８】
係合ロック部材１８は、第一ブラケット１６に固定して接続する。係合ロック部材１８は、弾力アーム４８を有している。係合ロック部５０は弾力アーム４８と接続し、第一ブラケット１６の開口４４に対応する。
【００３９】
支持部材１４の穿孔４０が開口４４に対応すると、係合ロック部材１８の係合ロック部５０は、弾力アーム４８の弾性作用を受け、支持部材１４に係合しロックするよう穿孔４０に入る。また、係合ロック部材１８の係合ロック部５０は、第二レール１２のロック解除部材３４の作動を受け、支持部材１４の穿孔を離脱し、ロックが解除される。係合ロック部材１８と第一ブラケット１６とは、リベット接続、螺合接続或いは他の類似の接続手段により、それぞれ分離可能な接続されている。係合ロック部材１８は第一ブラケット１６に配置されている。
【００４０】
図３Ａに示すように、支持部材１４の停止部４２は、支持部材１４の穿孔４０の周縁に設置する。これにより、係合ロック部材１８の係合ロック部５０が、支持部材１４の穿孔４０に入るとき、停止部４２において係合されてロックされる。
【００４１】
図３Ｂに示すように、係合ロック部５０は、弾力アーム４８より延伸するよう形成され、垂直の係合ロック面５２を有する。係合ロック部５０は、支持部材１４の穿孔４０中において係合してロックされる。弾力アーム４８の端部は、湾曲して折り返されており、ロック解除斜面５４を有する。ロック解除斜面５４は、第一ブラケット１６の開口４４に対応する。
【００４２】
図４Ａおよび図４Ｂに示すように、好ましくは、第一ブラケット１６は、側壁５６を有している。端板５８はおおよそ側壁５６に垂直である。第一ブラケット１６の開口４４および第一ブラケット１６のガード部４６は、側壁５６上に位置する。
【００４３】
さらに、第一ブラケット１６は、端板５８に結合する取り付け部材６０を有する。取り付け部材６０上には、可動状の係合接続部材６２が接続する。係合接続部材６２は、係合接続部６４およびリリース部６６を有する。リリース部６６は、操作空間６８を通して、係合接続部６４を操作する。側壁５６は、貫通孔７０を備えている。リリース部６６は、貫通孔７０を挿通されている。
【００４４】
支持部材１４は、固定部７２を有する。係合接続部材６２は、取り付け部材６０上に可動状に接続している。支持部材１４の固定部７２は、切り欠き７４を有し、切り欠き７４の両側には、停止壁７６を有する。これにより、係合接続部材６２のリリース部６６は、切り欠き７４に伸び入り、停止壁７６により位置を限定される。
【００４５】
第二ブラケット２０は、第一レール１０に隣接する他方の端部２４にスライドするよう接続する。第二ブラケット２０には、一対の湾曲部８０を有する側板７８を設けられる。一対の湾曲部８０は、通路８２を形成する。これにより、第一レール１０の他方の端部２４は、通路８２内に入り、第二ブラケット２０に相対してスライドする。
【００４６】
図５に示す一実施形態によるスライドレールアッセンブリでは、第一ブラケット１６をラック９０の第一支持柱９２上に取り付ける。また、第二ブラケット２０をラック９０の第二支持柱９４上に取り付ける。また、被搭載部材９６の一方の端部側をスライドレールアッセンブリに取り付ける。
【００４７】
図６Ａおよび図６Ｂは、一実施形態によるスライドレールアッセンブリの引き伸ばし状態を示す模式図である。
第一レール１０が引き伸ばされ支持部材１４が連動すると、支持部材１４は、第一ブラケット１６の一方の側へとスライドする。支持部材１４の穿孔４０が、第一ブラケット１６の開口４４に対応すると、係合ロック部材１８の係合ロック部５０は弾力アーム４８の弾性作用を受け、支持部材１４の穿孔４０に挿入される。これにより、支持部材１４を係合してロックし、係合ロック部５０の係合ロック面５２は、支持部材１４の穿孔４０中に係合してロックされる。こうして、支持部材１４が第一ブラケット１６の一方の側へ向い所定の位置までスライドした後、定位される。すなわち、第一レール１０が引き伸ばされて延長された後、第一レール１０も定位される（図７参照）。
【００４８】
上述したように、第１ブラケット１６と支持部材１４との間の距離は調整可能であるため、第一レール１０は、特定位置まで引き伸ばされ(図６Ａの状態参照)、或いは、初期位置まで戻る(図４Ａの状態参照)。これにより、スライドレールアッセンブリは、空間上の調整機能を有するため、サーバなどの被搭載部材９６をラック９０上に取り付ける時に被搭載部材９６に対してなされる、スペースに対する特定のニーズに応えることができる。
【００４９】
さらに、図６Ａと図６Ｂに示すように、支持部材１４が、第一ブラケット１６の一方の側へ向い所定の位置までスライドし、定位された後、支持部材１４の固定部７２の切り欠き７４は、第一ブラケット１６の係合接続部材６２のリリース部６６に対応して嵌合する。これにより、リリース部６６の操作を阻害し、係合接続部材６２の係合接続部６４(図４Ａ参照)の、ラック９０の第一支持柱９２における係合を保持することができる。したがって、スライドレールアッセンブリがラック９０から脱落し、スライドレールアッセンブリに取り付ける被搭載部材９６が、地面に落下し損壊するという問題の発生を回避することができる。
【００５０】
図８に示すように、スライドレールアッセンブリが閉まり、第二レール１２のロック解除部材３４が復位すると、係合ロック部材１８の係合ロック部５０を押す。これにより、係合ロック部材１８の係合ロック部５０は、支持部材１４の穿孔４０を離脱し、ロック解除を形成する。こうして、支持部材１４は第一ブラケット１６に相対して移動し、再び図４Ａに示す状態を形成する。
【００５１】
上述の実施形態の説明を総合すると、本考案の操作、使用、および本考案が生じさせる効果を充分理解することができる。但し、以上に述べた実施形態は単に本考案の好ましい実施形態であり、これによって本考案の実用新案登録請求の範囲を限定することではない。即ち本考案の実用新案登録請求の範囲および説明書の内容に基づいて、同等効果を有する簡単な変化および修飾は、全て、本考案の範囲内に属するものとする。
【符号の説明】
【００５２】
１０  第一レール、
１２  第二レール、
１４  支持部材、
１６  第一ブラケット、
１８  係合ロック部材、
２０  第二ブラケット、
２２  一方の端部、
２４  他方の端部、
２６  通路、
２８  第一位置限定部、
３０  一方の端部、  
３２  他方の端部、
３４  ロック解除部材、
３６  第二位置限定部、
３８  第三レール、
４０  穿孔、
４２  停止部、
４４  開口、
４６  ガード部、
４８  弾力アーム、
５０  係合ロック部、
５２  係合ロック面、
５４  ロック解除斜面、
５６  側壁、
５８  端板、
６０  取り付け部材、
６２  係合接続部材、
６４  係合接続部、
６６  リリース部、
６８  操作空間、
７０  貫通孔、
７２  固定部、
７４  切り欠き、
７６  停止壁、
７８  側板、
８０  湾曲部、
８２  通路、
９０  ラック、
９２  第一支持柱、
９４  第二支持柱、
９６  被搭載部材。
【図１】
0003189813.tif 000003
【図２Ａ】
0003189813.tif 000004
【図２Ｂ】
0003189813.tif 000005
【図３Ａ】
0003189813.tif 000006
【図３Ｂ】
0003189813.tif 000007
【図４Ａ】
0003189813.tif 000008
【図４Ｂ】
0003189813.tif 000009
【図５】
0003189813.tif 000010
【図６Ａ】
0003189813.tif 000011
【図６Ｂ】
0003189813.tif 000012
【図７】
0003189813.tif 000013
【図８】
0003189813.tif 000014